(57)【要約】      （修正有）【課題】色素溶液から持ち込まれた色素量に基づき分注プローブの表面状態を試験するに際して、持ち込まれた色素量を正確に測定することができる技術を提供する。【解決手段】液体の試料を分注する分注装置が備える分注プローブの表面状態を評価する試験方法であって、色素を溶かした第１試験液を分注するステップ、色素を溶かしていない第２試験液を分注するステップ、分注プローブに残留していた色素から第２試験液に対して持ち込まれた色素の量を計算する色素量計算ステップ、第２試験液に対して持ち込まれた色素の量に基づき分注プローブの表面状態を評価するステップ、を有し、第１試験液は、６．０以下のｐＨを有することを特徴とする試験方法。【選択図】図３
2019002771.tif 000002
【特許請求の範囲】
【請求項１】
液体の試料を分注する分注装置が備える分注プローブの表面状態を評価するための試験キットであって、
色素を溶かした第１試験液を収容する第１容器、
色素を溶かしていない第２試験液を収容する第２容器、
を備え、
前記第１試験液は、６．０以下のｐＨを有する
ことを特徴とする試験キット。
【請求項２】
前記試験キットはさらに、前記第１容器の開口部と前記第２容器の開口部を封止する蓋部を備え、
前記第１容器と前記第２容器は、前記蓋部によって連結されている
ことを特徴とする請求項１記載の試験キット。
【請求項３】
前記試験キットはさらに、前記第１容器と前記第２容器を装着するラックを備え、
前記第１容器の側面は第１凸部を有し、
前記第２容器の側面は第２凸部を有し、
前記ラックは、前記第１凸部と対応する位置に配置された第１開放部、および前記第２凸部と対応する位置に配置された第２開放部を備え、
前記ラックは、前記分注装置が備える搬送機構に対して装着することにより、前記搬送機構が前記ラックを前記分注プローブまで搬送できるように構成されている
ことを特徴とする請求項１記載の試験キット。
【請求項４】
前記第１試験液は、３．０以下のｐＨを有し、
前記色素は、オレンジＧ、エオシンＹ、ライトグリーン、アミドブラックのうちいずれかである
ことを特徴とする請求項１記載の試験キット。
【請求項５】
液体の試料を分注する分注装置が備える分注プローブの表面状態を評価する試験方法であって、
色素を溶かした第１試験液を分注するステップ、
前記分注プローブを洗浄するステップ、
色素を溶かしていない第２試験液を分注するステップ、
前記分注プローブに残留していた前記色素から前記第２試験液に対して持ち込まれた前記色素の量を計算する色素量計算ステップ、
前記第２試験液に対して持ち込まれた前記色素の量に基づき前記分注プローブの表面状態を評価するステップ、
を有し、
前記第１試験液は、６．０以下のｐＨを有する
ことを特徴とする試験方法。
【請求項６】
前記試験方法はさらに、
前記第１試験液の吸光度を取得するステップ、
前記色素が持ち込まれる前における前記第２試験液の吸光度を取得するステップ、
前記色素が持ち込まれた後における前記第２試験液の吸光度を計測する計測ステップ、
を有し、
前記色素量計算ステップにおいては、前記第１試験液の吸光度と、前記色素が持ち込まれる前後それぞれにおける前記第２試験液の吸光度を用いて、前記第２試験液に対して持ち込まれた前記色素の量を計算する
ことを特徴とする請求項５記載の試験方法。
【請求項７】
前記計測ステップにおいては、前記分注装置が備える光度計以外の光度計を用いて、前記第２試験液の吸光度を計測する
ことを特徴とする請求項６記載の試験方法。
【請求項８】
前記計測ステップにおいては、前記分注装置が備える光度計を用いて、前記第２試験液の吸光度を計測する
ことを特徴とする請求項６記載の試験方法。
【請求項９】
前記試験方法はさらに、
前記第１試験液とは異なるｐＨを有し前記色素を溶かした第３試験液を分注するステップ、
前記分注プローブを洗浄するステップ、
前記色素が持ち込まれていない前記第２試験液を分注するステップ、
前記分注プローブに残留していた前記第３試験液から前記第２試験液に対して持ち込まれた前記色素の量を計算するステップ、
を有し、
前記第１試験液から前記第２試験液に対して持ち込まれた前記色素の量と、前記第３試験液から前記第２試験液に対して持ち込まれた前記色素の量との間の差分が第１閾値を超えている場合は、前記分注プローブの表面が清浄ではないと判定し、
前記第１試験液から前記第２試験液に対して持ち込まれた前記色素の量と、前記第３試験液から前記第２試験液に対して持ち込まれた前記色素の量との間の差分が前記第１閾値以下かつ第２閾値を超えている場合は、前記分注装置が不具合を有していると判定する
ことを特徴とする請求項５記載の試験方法。
【請求項１０】
前記試験方法はさらに、
前記第１試験液に対して前記分注プローブを浸した上で前記第１試験液を吸引せずに前記分注プローブを前記第１試験液から引き上げることにより、前記分注プローブの外面に対して前記色素を付着させるステップ、
前記分注プローブの外面に残留していた前記色素から前記第２試験液に対して持ち込まれた前記色素の量を計算するステップ、
前記第２試験液に対して持ち込まれた前記色素の量に基づき前記分注プローブの外面の表面状態を評価するステップ、
を有することを特徴とする請求項５記載の試験方法。
【請求項１１】
前記第１試験液を分注するステップにおいては、前記分注プローブを前記第１試験液に対して第１深さまで侵入させて前記第１試験液を吸引し、
前記第２試験液を分注するステップにおいては、前記分注プローブを前記第２試験液に対して前記第１深さまで侵入させて前記第２試験液を吸引し、
前記試験方法はさらに、
前記第１試験液に対して前記分注プローブを前記第１深さとは異なる第２深さまで侵入させて前記第１試験液を吸引するステップ、
前記第１試験液を分注するステップ、
前記分注プローブを洗浄するステップ、
前記色素を溶かしていない前記第２試験液に対して前記分注プローブを前記第２深さまで侵入させて前記第２試験液を吸引するステップ、
前記色素を溶かしていない前記第２試験液を分注するステップ、
前記分注プローブに残留していた前記第１試験液から前記第２試験液に対して持ち込まれた前記色素の量を計算するステップ、
前記第２試験液に対して持ち込まれた前記色素の量に基づき前記分注プローブの表面状態を評価するステップ、
を有し、
前記第１深さまで前記分注プローブを侵入させて前記分注プローブの表面状態を評価するステップにおいては、前記第１深さに対応する前記分注プローブの位置における表面状態を評価し、
前記第２深さまで前記分注プローブを侵入させて前記分注プローブの表面状態を評価するステップにおいては、前記第２深さに対応する前記分注プローブの位置における表面状態を評価する
ことを特徴とする請求項５記載の試験方法。
【請求項１２】
前記分注装置は、洗浄することにより繰り返し使用する第１分注プローブと、使い捨て型の第２分注プローブとを備えており、
前記試験方法はさらに、第１試料について前記第１分注プローブと前記第２分注プローブのいずれを用いて分注するか決定するとともに、前記第１試料とは異なる第２試料について前記第１分注プローブと前記第２分注プローブのいずれを用いて分注するか決定する分注プローブ決定ステップを有し、
前記分注プローブ決定ステップにおいては、前記分注プローブの表面状態の清浄度が清浄度閾値以上である場合は、前記第１試料については前記第１分注プローブを用いるとともに前記第２試料については前記第２分注プローブを用いることを決定し、
前記分注プローブ決定ステップにおいては、前記分注プローブの表面状態の清浄度が前記清浄度閾値未満である場合は、前記第１試料と前記第２試料いずれについても前記第２分注プローブを用いることを決定する
ことを特徴とする請求項５記載の試験方法。
【請求項１３】
前記試験方法はさらに、前記第２試験液に対して持ち込まれた前記色素の量が第３閾値を超えた場合はその旨を報知するステップを有する
ことを特徴とする請求項５記載の試験方法。
【請求項１４】
前記第１試験液は、３．０以下のｐＨを有し、
前記色素は、オレンジＧ、エオシンＹ、ライトグリーン、アミドブラックのうちいずれかである
ことを特徴とする請求項５記載の試験方法。
【請求項１５】
請求項５から１４のいずれか１項記載の試験方法を実行するコントローラを備えたことを特徴とする分注装置。
【発明の詳細な説明】
【技術分野】
【０００１】
本発明は、分注プローブの表面状態を評価する技術に関する。
【背景技術】
【０００２】
臨床化学分析は、例えば血液や尿などの生体試料中における無機イオン、タンパク質、尿素、糖、脂質、酵素、ホルモン、薬物、腫瘍マーカなどの成分を分析する試験である。臨床化学分析においては、自動分析装置が広く用いられている。自動分析装置は、試料を分注する分注プローブとしてディスポーザブルチップを用いる場合を除くと、分注プローブを洗浄機構により洗浄し、繰り返し使用する。
【０００３】
近年、自動分析装置においては、検体量の微量化や分析の高感度化が重要な開発トレンドとなっている。このため、吸引量や吐出量のばらつきの低減、コンタミネーションの低減の観点から、分注プローブ表面の清浄度を高い水準に保つことが、これまで以上に求められてきている。
【０００４】
下記特許文献１〜２は、分注プローブ表面を清浄に保つための技術を開示している。これら文献においては、超音波洗浄やヒータなどの洗浄加速機構を、通常の洗浄槽と併用している。
【０００５】
下記特許文献３は、分注プローブ表面に対する洗浄の効果を評価するための、分注プローブの清浄度を確認する試験法を記載している。同文献においては、分注プローブによって色素溶液を分注した後、色素を含まない溶液（例えば生理食塩水）を分注する。分注プローブに色素が不着していた場合、色素溶液から色素を含まない溶液に対して色素が持ち込まれる。その持ち込まれた色素量を、分光光度計によって測定した吸光度に基づき算出する。この色素の持込量を用いて、分注プローブの表面状態を推定する。
【０００６】
下記非特許文献１は、例えば特許文献３における色素持込試験において一般的に用いることができると考えられる色素の特性について記載している。
【先行技術文献】
【特許文献】
【０００７】
【特許文献１】特許第４８９２３８４号公報
【特許文献２】特開２００８−２０２９４５号公報
【特許文献３】特許第４９０９５９９号公報
【非特許文献】
【０００８】
【非特許文献１】“色素とその取り扱いについて”、Ｐ．１９、メルク株式会社（ＵＲＬ：http://www.aichi-amt.or.jp/labo/patho/reco/20090418_04.pdf、２０１７年０６月０７日取得）
【発明の概要】
【発明が解決しようとする課題】
【０００９】
特許文献３が記載しているような、色素の持ち込みに基づく試験法においては、色素の持込量が極めて少ないので、色素が持ち込まれた溶液の吸光度が、分光光度計の検出下限付近になってしまう場合がある。
【００１０】
本発明は、上記のような課題に鑑みてなされたものであり、色素溶液から持ち込まれた色素量に基づき分注プローブの表面状態を試験するに際して、持ち込まれた色素量を正確に測定することができる技術を提供するものである。
【課題を解決するための手段】
【００１１】
本発明に係る試験方法は、酸性の色素溶液から色素を含まない溶液に対して持ち込まれた色素量に基づき、分注プローブの表面状態を評価する。
【発明の効果】
【００１２】
本発明に係る試験方法によれば、再現性が高く、かつ高い信頼性で、分注プローブの表面状態を評価することができる。その結果として、分注プローブの表面の清浄度を高い状態保つことができるので、分析性能の信頼性を向上することができる。
【図面の簡単な説明】
【００１３】
【図１】実施形態１に係る自動分析装置１００の概略図である。
【図２】色素溶液のｐＨと色素持込量の関係を計測した結果を示すグラフである。
【図３】色素が持込まれた溶液の吸光度を自動分析装置１００が測定する手順を説明するフローチャートである。
【図４】色素が持込まれた溶液の吸光度を自動分析装置１００が測定する別手順を説明するフローチャートである。
【図５】２種類の色素溶液を用いて実施形態１の試験を実施した結果を示す。
【図６】図５に示す２種類の色素溶液による色素持込量の比を示す。
【図７】ｐＨによる色素持込量の差を用いて汚染要因を判別する手順を説明するフローチャートである。
【図８】ｐＨによる色素持込量の差を用いて汚染要因を判別する別手順を説明するフローチャートである。
【図９】試料用分注プローブ１１ａの内表面状態と外表面状態を検査する手順を説明するフローチャートである。
【図１０】試料用分注プローブ１１ａの清浄度を試験するために用いる溶液などを収容した試験キット８００の構成図である。
【発明を実施するための形態】
【００１４】
＜実施の形態１：装置構成＞
図１は、本発明の実施形態１に係る自動分析装置１００の概略図である。各部の機能は公知のものであるため、詳細についての記述は省略する。反応ディスク１上には、反応容器２が円周状に並んでいる。反応容器２は、恒温槽４１により一定温度に保持されている。試薬ディスク９の中には複数の試薬ボトル１０が円周状に載置することができる。反応ディスク１の近くには、試料容器１５を載せたラック１６を移動する試料搬送機構１７が設置されている。反応ディスク１と試薬ディスク９の間には試薬用分注機構７と８が設置されている。反応ディスク１と試料搬送機構１７の間には、回転と上下動することができる試料用分注機構１１が設置されている。試料用分注機構１１は、試料用分注プローブ１１ａを備えている。試料用分注プローブ１１ａには試料用シリンジ１９が接続されている。試料用分注プローブ１１ａは、回転軸を中心に円弧を描きながら移動して、試料容器１５から反応容器２に対して試料を分注する。圧力センサ４０は、試料用分注プローブ１１ａ内部の流路の圧力を検知する。
【００１５】
反応ディスク１の周囲には、洗浄機構３、分光光度計４、攪拌機構５と６、などが配置されている。洗浄機構３には洗浄用ポンプ２０が接続されている。試薬用分注機構７と８、試料用分注機構１１、攪拌機構５と６の動作範囲上に洗浄槽３３、３２、１３、３１、３０がそれぞれ設置されている。試薬用分注機構７と８には、試薬用シリンジ１８が接続されている。試料容器１５は血液などの検査試料を収容する。試料容器１５は、ラック１６に載せられて試料搬送機構１７によって運ばれる。
【００１６】
試料用分注プローブ１１ａは、通常であれば洗浄槽１３を用いて洗浄する。特に洗浄を強化したい場合には、洗浄槽４２を用いて洗浄する。洗浄液用シリンジ４４により洗浄液タンク４３から洗浄槽４２に対して洗浄液が供給される。洗浄槽４２には洗浄加速機構４５が設置されており、これにより洗浄液に浸漬するよりも強力に洗浄することができる。洗浄加速機構４５としては、例えば、超音波洗浄器やヒータなどが挙げられる。各機構はコントローラ２１によって制御されている。
【００１７】
＜実施の形態１：試験手順＞
試料用分注プローブ１１ａの表面状態を検査する際には、まず試料容器１５に色素溶液を準備する。このとき用いられる色素としては、オレンジＧ、エオシンＹ、ライトグリーン、アミドブラックなどの酸性色素が考えられる。酸性色素とは、酸解離係数ｐＫａよりも高いｐＨにおいてイオンが多く存在し、低いｐＨにおいては分子が多く存在する色素である。官能基としては、スルホ基、リン酸基などを持つ。すなわちｐＫａが低い物質は、低いｐＨ環境下においてもイオンとして帯電した状態で存在する。色素溶液はさらに、各種酸により酸性に調製されている。こうして調製された色素溶液を入れた試料容器１５は複数個、例えば、３個準備してもよい。それぞれの試料容器１５内の色素濃度は同一でもよいし異なっていてもよい。
【００１８】
本発明において酸性色素を用いる理由、および酸性色素を溶かした色素溶液を酸性に保つ理由は、以下の通りである。酸性色素は上述のように酸性環境下においてイオンとして−に帯電する傾向がある。他方で例えば血液試料を分注する際に、血液中のたんぱく質が試料用分注プローブ１１ａの表面に付着するとこれが汚染の原因となる。たんぱく質分子を酸性溶液に対してさらすとＨ＋イオンの影響により＋に帯電する傾向がある。したがって酸性色素分子とたんぱく質分子が電気的に吸引し合って色素がたんぱく質分子に付着し易くなる。このことを利用して、色素持込試験における色素持込量を充分に確保できると考えられる。色素溶液のｐＨとしては、後述するように２．０〜６．０程度が望ましい。
【００１９】
次に、別の試料容器１５に、純水、生理食塩水、リン酸緩衝液など、色素を含まない溶液を準備する。この試料容器１５も複数個、例えば３個用意してもよい。色素を含まない溶液を複数用意する場合には、その量は等しいことが望ましい。色素を含まない溶液の体積によって吸光度が変わるからである。
【００２０】
これらの色素溶液と色素を含まない溶液を収納した試料容器１５をラック１６に搭載したものを準備する。試料搬送機構１７を用いて、試料用分注機構１１により分注することができる位置まで、ラック１６を搬送する。
【００２１】
次に試料用分注機構１１により、試料容器１５内の色素溶液を分注する。１回あたり分注する色素溶液の量は例えば、１０μＬなどである。試料容器内１５内の色素溶液を試料用分注機構１１により吸引し、反応容器２に対して吐出することにより、１回の分注が完了する。分注を複数回繰り返してもよい。この場合、一度色素溶液を分注したものと同じ反応容器２は使用しないことが望ましい。本工程は分注プローブに対して色素溶液を接触させるためのものであるから、色素溶液の吐出先は問わない。例えば反応容器２に対して吐出する代わりに、洗浄槽１３や４２に対して吐出してもよい。
【００２２】
次に、色素溶液を分注した試料用分注プローブ１１ａを洗浄槽１３により洗浄する。洗浄を強化したい場合は、洗浄槽４２において、洗浄加速機構４５を用いて、より強力に洗浄してもよい。
【００２３】
次に、試料搬送機構１７を用いてラック１６を移動し、試料用分注機構１１により、色素を含まない溶液を分注する。分注手順は、色素溶液を分注した際と同様である。分注プローブの表面に色素が残留している場合、この分注により、色素を含まない溶液に対して色素が持ち込まれる。この分注も複数回繰り返してもよい。
【００２４】
このとき持ち込まれた色素量は、下記式１によって定義することができる。色素が持ち込まれた溶液の吸光度は、分光光度計４によって計測することができる。色素溶液の吸光度と色素を含まない溶液の吸光度は、分光光度計４によって計測することもできるし、あらかじめ計測した結果をコントローラ２１にあらかじめ記憶しておくこともできる。分光光度計４で吸光度を測定する場合、吸光度を測定するために、色素の持込試験に使用しない、色素を含まない溶液を準備する必要がある。色素溶液の濃度と色素が持ち込まれた溶液の体積は、分注量から求めることができる。
【００２５】
持ち込まれた色素量（質量）＝（色素が持ち込まれた溶液の吸光度−色素を含まない溶液の吸光度）／（色素溶液の吸光度−色素を含まない溶液の吸光度）×色素溶液の濃度×色素が持ち込まれた溶液の体積    ・・・（１）
【００２６】
色素溶液の吸光度が高いほど、色素の持込量が増えるので、高い感度が得られることになる。しかし、色素溶液の吸光度が分光光度計４の測定上限を上回る場合、直接色素溶液の吸光度を測定することは難しい。この場合には、色素溶液を希釈した溶液の吸光度を測定し、その結果から下記式２により色素溶液原液の吸光度を求めることができる。
【００２７】
色素溶液原液の吸光度＝（希釈溶液の吸光度−色素を含まない溶液の吸光度）×希釈率＋色素を含まない溶液の吸光度    ・・・（２）
【００２８】
図２は、色素溶液のｐＨと色素持込量の関係を計測した結果を示すグラフである。比較のため、縦軸は基準値を１とする相対値として表した。図２に示すように、色素溶液のｐＨが低い（酸性）ほど色素の持込量が増えることが分かる。ｐＨ５．７のときの持込量は、ｐＨ７．４のときの持込量の１．５倍程度である。ｐＨ４．４のときの持込量は、ｐＨ７．４のときの持込量の５倍以上である。ｐＨ３以下ではさらに顕著に持込量が増加し、ｐＨ７．４のときと比較して９倍程度になっている。ｐＨ２．０程度までは同程度の持込量が得られたが、ｐＨ２．０未満になると持込量が減少する傾向が見られた。図２に示す結果によれば、色素溶液のｐＨは概ね２．０〜６．０の酸性領域が好適であると考えられる。
【００２９】
＜実施の形態１：まとめ＞
本実施形態１に係る試験方法によれば、酸性色素を溶かした色素溶液のｐＨを酸性にすることにより、色素持込試験における色素持込量を充分に確保することができる。したがって分注プローブの表面状態をより正確に判定することができる。
【００３０】
＜実施の形態２＞  
各溶液の吸光度は、自動分析装置１００とは別に用意した分光光度計を用いて測定してもよい。この場合は例えば、実施形態１で説明した試験を実施した後、色素が持ち込まれた溶液の試料容器１５をラック１６から取り出す。この色素が持ち込まれた溶液を攪拌した後、ピペットなどを用いて、別途用意した分光光度計の測定セルに対して分注し、吸光度を測定する。ここで測定された吸光度をもとに、持込量を算出することができる。色素溶液原液やその希釈液、色素を含まない溶液の吸光度を、同様の方法で測定することもできる。
【００３１】
＜実施の形態３＞
図３は、色素が持込まれた溶液の吸光度を自動分析装置１００が測定する手順を説明するフローチャートである。各ステップは、コントローラ２１による制御下で実施される。以下図３の各ステップについて説明する。
【００３２】
（図３：ステップＳ３０１〜Ｓ３０２）
自動分析装置１００は、色素溶液を分注した後、試料用分注プローブ１１ａを洗浄する（Ｓ３０１）。次に自動分析装置１００は、色素を含まない溶液を分注する（Ｓ３０２）。このとき試料用分注プローブ１１ａに残存していた色素が持ち込まれる。
【００３３】
（図３：ステップＳ３０３）
自動分析装置１００は、試料用分注プローブ１１ａを洗浄する。この洗浄は、通常の洗浄よりも強力に実施することが望ましい。具体的には、洗浄槽１３で繰り返し洗浄することが考えられる。もしくは、洗浄槽１３で洗浄した後、洗浄槽４２で洗浄加速機構４５を用いて強力に洗浄してもよい。
【００３４】
（図３：ステップＳ３０４）
自動分析装置１００は、強力に洗浄された試料用分注プローブ１１ａを用いて、色素が持ち込まれた溶液を反応容器２に分注する。試料用分注プローブ１１ａの分注量によっては測光するのに十分な量の溶液を反応容器２に対して１回で分注することが難しい場合がある。この場合には、複数回に分けて分注してもよい。
【００３５】
（図３：ステップＳ３０５〜Ｓ３０７）
自動分析装置１００は、分注された溶液をさらに均一にするため、攪拌機構５や６を用いて攪拌する（Ｓ３０５）。自動分析装置１００は、分光光度計４を用いて測光することにより、吸光度を測定する（Ｓ３０６）。自動分析装置１００は、求められた吸光度を用いて、実施形態１で説明した手順により、色素の持込量を算出する（Ｓ３０７）。
【００３６】
（図３：ステップＳ３０５：補足）
分注された溶液が充分に均一である場合は、本ステップを省略することもできる。例えば試料用分注プローブ１１ａにより分注する前に色素が持ち込まれた溶液の吸引吐出を繰り返すことにより、溶液を撹拌するのと同様の効果が発生するので、この場合は本ステップを省略できる。
【００３７】
図４は、色素が持込まれた溶液の吸光度を自動分析装置１００が測定する別手順を説明するフローチャートである。ステップＳ３０１〜Ｓ３０３とＳ３０５〜Ｓ３０６は図３と同様である。ステップＳ３０４に代えてステップＳ４０１とＳ４０２を実施し、ステップＳ３０７に代えてＳ４０３を実施する。以下これらのステップについて説明する。
【００３８】
（図４：ステップＳ４０１）
自動分析装置１００は、色素が持込まれた溶液を反応容器２に対して分注する。分注する溶液の量は、分光光度計４が測光することができる量である必要はなく、試料用分注プローブ１１ａが１回で分注できる量で足りる。
【００３９】
（図４：ステップＳ４０２）
自動分析装置１００は、ステップＳ４０１において色素が持込まれた溶液を分注した反応容器２に対して、試薬用分注機構８を用いて試薬を分注する。本ステップは、分光光度計４が測光することができる液量に達するまで、試薬によって液量を増やすためのものである。ここで用いる試薬としては、界面活性剤入りの水溶液などが考えられる。
【００４０】
（図４：ステップＳ４０３）
本ステップはＳ３０７と同様であるが、ステップＳ４０２において試薬により液量を増やしているので、持ち込まれた色素量を求めるためには、式１により得られた色素量に対して下記式３の係数を乗じる必要がある。
係数＝（試薬の分注量＋色素が持ち込まれた溶液の分注量）／色素が持ち込まれた溶液の分注量    ・・・（３）
【００４１】
図３と図４で説明した手順は、例えば自動分析装置１００の特別動作モードとしてあらかじめ実装しておき、必要に応じてユーザがその特別動作モードを実施するように指定してもよい。
【００４２】
＜実施の形態４＞
色素の持込量を増加させる要因のうち、分注プローブの表面状態以外の要因（例えば洗浄水圧の低下による洗浄水量の減少などの装置状態に由来する要因）と、試料用分注プローブ１１ａの表面状態に由来する要因とを切り分けることは、従来困難であった。そのため、試料用分注プローブ１１ａを洗浄すればよいのか、それとも装置の洗浄機構を改善すればよいのか、判別することが難しかった。そこで本発明の実施形態４では、複数種類の色素溶液を用いることにより、色素持込量を増加させている要因を判別する手法を説明する。
【００４３】
本実施形態４においては、色素溶液を２種類以上用意する。これらの色素溶液は、同じ色素を用いて、同じ色素濃度に調整しているが、それぞれの溶液に加えた酸の濃度が異なるので、溶液全体としてのｐＨが異なる。この２種類以上の色素溶液をそれぞれ個別に用いて、実施形態１で説明した方法により試験をする。色素を含まない溶液としては、共通の溶液、例えば生理食塩水などを用いることができる。
【００４４】
図５は、２種類の色素溶液を用いて実施形態１の試験を実施した結果を示す。縦軸は図２と同様である。試料用分注プローブ１１ａとしては、未使用のものと、タンパク質を吸引後に乾燥させて固着させることにより強制的に汚染させたものを用いた。色素溶液のｐＨは２．５と７．４の２種類を用いた。図５から分かるように、強制的に汚染した試料用分注プローブ１１ａにおいては、色素溶液のｐＨによる色素持込量の差が顕著に現れる傾向が認められる。これに対し、未使用の試料用分注プローブ１１ａでは、色素の持込量による差は小さい。
【００４５】
図６は、図５に示す２種類の色素溶液による色素持込量の比を示す。２つの試料用分注プローブ１１ａに対して、（色素溶液のｐＨが２．５の時の色素持込量）／（色素溶液のｐＨが７．４の時の色素持込量）を求めた。図６から分かるように、強制的に汚染した試料用分注プローブ１１ａにおいては、色素溶液のｐＨによる色素持込量の差が顕著に現れる傾向が認められる。
【００４６】
色素を持ち込むメカニズムは、大きく分けて２種類あると考えられる。１つ目のメカニズムは、色素が試料用分注プローブ１１ａの表面に吸着し、色素を含まない溶液を分注した際に色素が表面から脱離して持ち込まれる、というものである（表面吸着）。このメカニズムにおいては、試料用分注プローブ１１ａの表面状態の変化により、色素の持込量が変化すると考えられる。２つ目のメカニズムは、洗浄水量が不十分などの理由により色素溶液が液体のままとして残存するものである（液残り）。このメカニズムにおいては、液体の洗い流されやすさ（粘性）や洗浄水圧の変化による洗浄水量の変化といった洗浄条件により、色素の持込量が変化すると考えられる。これらの違いを利用して、色素持込量を増加させている要因を判別することを図る。
【００４７】
色素溶液のｐＨのみ変更した場合、一般には粘性などの液性は大きくは変わらない。また、洗浄水圧などの洗浄条件は、同じ装置で評価しているため一定に保たれていると考えられる。したがって、色素溶液のｐＨの違いによる色素持込量の差は、上記表面吸着が主要な役割を果たしていると推定される。したがって、色素溶液のｐＨを変更することにより色素持込量が変化した場合は、試料用分注プローブ１１ａの表面汚染が原因として推定される。対策としては、試料用分注プローブ１１ａを洗浄槽４２において洗浄することが考えられる。
【００４８】
色素溶液のｐＨを変更しても色素持込量が大きく変化しないが、一律に色素持込量が増加した場合には、洗浄水量の低下などの装置の不具合によって色紙持込量が増加したと推定される。対策としては、洗浄機構を修理する、自動分析装置１００を交換する、などが考えられる。
【００４９】
このように、２種以上の異なるｐＨの色素溶液を用いて、それぞれの色素溶液における色素持込量の差を検出することにより、色素持込量を増加させている要因を切り分けることができる。
【００５０】
図７は、ｐＨによる色素持込量の差を用いて汚染要因を判別する手順を説明するフローチャートである。各ステップは、コントローラ２１による制御下で実施される。以下図７の各ステップについて説明する。
【００５１】
（図７：ステップＳ７０１〜Ｓ７０２）
自動分析装置１００は、低いｐＨ（例えばｐＨ２．５）の色素溶液を用いて、実施形態１と同様の色素持込試験を実施する（Ｓ７０１）。自動分析装置１００は、ステップＳ７０１における色素持込量が第１閾値以下であるか否かを判定する（Ｓ７０２）。色素持込量が第１閾値以下である場合は、すなわち試料用分注プローブ１１ａの表面状態が清浄であり、かつ洗浄能力も低下していないことになるので、その旨の判定結果をコントローラ２１が備える記憶装置に格納するなどして本フローチャートを終了する。色素持込量が第１閾値を超えている場合は、ステップＳ７０３へ進む。
【００５２】
（図７：ステップＳ７０３〜Ｓ７０４）
自動分析装置１００は、高いｐＨ（例えばｐＨ７．４）の色素溶液を用いて、実施形態１と同様の色素持込試験を実施する（Ｓ７０３）。自動分析装置１００は、ステップＳ７０３における色素持込量が第２閾値以下であるか否かを判定する（Ｓ７０４）。色素持込量が第２閾値以下である場合はステップＳ７０５へ進み、第２閾値を超えている場合はステップＳ７０６へ進む、
【００５３】
（図７：ステップＳ７０５）
ステップＳ７０４において色素持込量が第２閾値以下であった場合、色素持込量を増加させているのはステップＳ７０１であると考えられる。したがって自動分析装置１００は対策として、試料用分注プローブ１１ａの表面を洗浄する。
【００５４】
（図７：ステップＳ７０６）
ステップＳ７０４において色素持込量が第２閾値を超えていた場合、色素持込量を増加させているのはステップＳ７０１とＳ７０３両方であると考えられる。したがって自動分析装置１００は対策として、試料用分注プローブ１１ａの表面を洗浄するとともに洗浄機構が不具合を有している旨の判定結果を出力する。例えばコントローラ２１が備える記憶装置にその旨のデータを書き込むことができる。
【００５５】
図８は、ｐＨによる色素持込量の差を用いて汚染要因を判別する別手順を説明するフローチャートである。図８においては、図７で説明したステップＳ７０１とＳ７０３に相当する試験を先に完了してその結果をコントローラ２１などが記憶しておく。判定基準は図７と同様である。
【００５６】
＜実施の形態５＞
以上の実施形態においては、色素溶液を分注する量は一定（例えば１０μＬ）とした。本発明の実施形態５では、色素溶液を吸引せず試料用分注プローブ１１ａを色素溶液に対して浸すのみで同様の試験を実施することにより、試料用分注プローブ１１ａの表面状態をより詳細に評価する手法を説明する。
【００５７】
図９は、試料用分注プローブ１１ａの内表面状態と外表面状態を検査する手順を説明するフローチャートである。各ステップは、コントローラ２１による制御下で実施される。以下図９の各ステップについて説明する。
【００５８】
（図９：ステップＳ９０１）
オペレータは、試料用分注プローブ１１ａの外表面を、例えばエタノールをしみこませたガーゼにより拭取り洗浄する。その他、超音波洗浄などのように外表面を強力に洗浄できる方法を用いてもよい。マニュアル洗浄以外の方法を用いる場合は、コントローラ２１によって自動的に洗浄を実施できる。
【００５９】
（図９：ステップＳ９０２）
自動分析装置１００は、色素溶液の分注量と色素を含まない溶液の分注量をいずれも０μＬとして、実施形態１で説明した方法により色素持込試験を実施する。具体的には、試料用分注プローブ１１ａを溶液に浸し、吸引せずにそのまま引き上げる。これにより、試料用分注プローブ１１ａの外表面のみが溶液に対して接触することになる。したがって外表面の清浄度を判定することができる。
【００６０】
（図９：ステップＳ９０３）
自動分析装置１００は、色素持込量が閾値以下であるか否かを確認する。閾値以下である場合は、外表面が清浄であると判断してその旨を示すデータをコントローラ２１の記憶装置に格納する。閾値を超えている場合は、その旨を示すデータをコントローラ２１の記憶装置に格納するとともに、ステップＳ９０１に戻って同様の処理を繰り返す。これにより、外表面を確実に清浄に保つことができる。
【００６１】
（図９：ステップＳ９０４）
自動分析装置１００は、色素溶液の分注量と色素を含まない溶液の分注量をいずれも１０μＬとして、実施形態１で説明した方法により色素持込試験を実施する。これにより、試料用分注プローブ１１ａの内表面が溶液に対して接触することになる。したがって内表面の清浄度を判定することができる。外表面については既に清浄であることを確認しているので、本ステップは内表面の清浄度を確認する意義がある。
【００６２】
（図９：ステップＳ９０５）
自動分析装置１００は、色素持込量が閾値以下であるか否かを確認する。ステップＳ９０３とは異なる閾値を用いることが望ましい。色素持込量が閾値以下である場合は本フローチャートを終了する。閾値を超えている場合はステップＳ９０６へ進む。
【００６３】
（図９：ステップＳ９０６）
自動分析装置１００は、試料用分注プローブ１１ａの内表面が清浄でない旨のアラームを出力する。例えばその旨を表すデータをコントローラ２１の記憶装置に格納してもよいし、画面表示や報知音などの外部的出力を用いてもよい。これによりユーザは、例えば試料用分注プローブ１１ａを交換するなどの措置を促されることになる。
【００６４】
＜実施の形態６＞
色素溶液を分注する際に、試料用分注プローブ１１ａを色素溶液や色素を含まない溶液に対して侵入させる深さを変えることにより、外表面が溶液に対して接触する範囲も変化する。このことを利用して、外表面のどの部分が清浄でないのか推定することができる。本発明の実施形態６ではその手順について説明する。
【００６５】
自動分析装置１００は、試料用分注プローブ１１ａを、各溶液に対して１ｍｍの深さまで侵入させる。これにより外表面が先端から１ｍｍの範囲で各溶液に対して接触することになる。自動分析装置１００は、図９のステップＳ９０２〜Ｓ９０３と同様に溶液を吸引せずに試験を実施する。以下同様に、溶液に対して侵入させる深さを２ｍｍ／３ｍｍ／４ｍｍなどと変化させて色素持込試験を実施する。
【００６６】
自動分析装置１００は、色素持込量が閾値を超えた時点において、外表面が溶液に対して接触していた位置が清浄ではない旨を示すデータをコントローラ２１の記憶装置に格納することができる。ユーザはその出力にしたがって、外表面を洗浄すべき位置を把握し、その位置を洗浄するなどの対策をとることができる。
【００６７】
＜実施の形態７＞
図１０は、試料用分注プローブ１１ａの清浄度を試験するために用いる溶液などを収容した試験キット８００の構成図である。図１０上段は試験キット８００の上面図である。ラック８０１は、自動分析装置１００の試料搬送機構１７に載置することができるように構成されている。容器設置部８０２と８０３は、試験溶液を収容した容器を設置する空洞になっている。ラック８０１の側壁の一部には、容器設置部８０２と８０３それぞれに連通する開放部８０４が形成されている。例えば開放部８０４が形成されている側を試験キット８００の正面として認識することができる。
【００６８】
図１０中段は、試験キット８００の正面図である。容器設置部８０２には色素溶液を収容した容器８０５を設置し、容器設置部８０３には色素を含まない溶液を収容した容器８０６を設置する。容器８０５と８０６はそれぞれ凸部８０７を有しており、容器８０５と８０６を設置した際に凸部８０７の位置が開放部８０４の位置と対応するように構成されている。各容器の開口部はシール８０８により封止される。シール８０８により各容器の開口部が連結され、これにより容器８０５と８０６が一体になってラック８０１に設置されることになる。したがってオペレータが色素溶液と色素を含まない溶液を取り違える可能性を低減できる。図１０下段はシール８０８を付した状態の上面図である。
【００６９】
＜実施の形態８＞
従来、糖や脂質などの生化学項目と、腫瘍マーカやホルモンなどの免疫項目は、別の装置によって測定されてきた。近年、それらの装置を統合した複合型の自動分析装置が広く用いられてきている。こうした複合型自動分析装置においては、２つの試料用分注系統を用いる場合がある。第１分注系統は、１つの試料用分注プローブを洗浄しながら繰り返し使用する。第２分注系統は、ディスポーザブルの試料用分注プローブを使用し、試料ごとに分注プローブを交換する。
【００７０】
このように分注系統を２系統持つことにより、試料分注時の試料のコンタミネーション（キャリーオーバ）を回避することができる。キャリーオーバとは、同一の試料用分注プローブを繰り返し用いて試料を分注した場合、試料用分注プローブ表面に残存した極微量の試料成分が、続いて分注される試料に持ち越されることである。高感度な分析が必要となる免疫分析においては、こうした極微量な試料成分の持ち越しが分析に影響を与える場合がある。したがって高感度な分析が必要となる免疫分析項目については、ディスポーザブルの試料用分注プローブを用いる第２分注系統を用いる。それ以外の項目については、同一の試料用分注プローブを繰り返し用いる第１分注系統を用いる。第１分注系統は、分注プローブを脱着する必要がないなどの理由により、高速な分注が可能である。こうした分注系統の使い分けにより、キャリーオーバを回避し、かつ分析を高速に実施することができる。
【００７１】
２つの分注系統を備える自動分析装置を用いる場合、分析項目に応じてキャリーオーバ回避の設定を変更することができる。例えばホルモンや腫瘍マーカなどの高感度な分析が必要となる免疫分析項目については、キャリーオーバ回避レベルを「高」と設定し、第２分注系統を用いる。高感度な分析が必要ない場合は、第１分注系統を用いる。
【００７２】
実施形態１で説明した方法により計測した色素持込量を、キャリーオーバ回避レベルと対応付けることもできる。例えば分析項目がＡ／Ｂ／Ｃの３種類あり、この順に必要な分析感度（＝キャリーオーバ回避レベル）が高いものとする。色素持込量が小さいときはいずれの分析項目についても第１分注系統を用いる。色素持込量が中程度であるときは分析項目Ａについて第２分注系統を用い、分析項目ＢＣについては第１分注系統を用いる。色素持込量が大きいときは分析項目ＡＢについて第２分注系統を用い、分析項目Ｃについては第１分注系統を用いる。
【００７３】
分注系統が１つのみである場合は、ディスポーザブルチップを用いることに代えて、洗浄を強化することが考えられる。例えば上記分析項目Ａ／Ｂ／Ｃの例において、色素持込量が小さいときはいずれの分析項目についても通常の洗浄槽１３を用いる。色素持込量が中程度であるときは分析項目Ａについて洗浄加速機構４５を有する洗浄槽４２を用い、分析項目ＢＣについては洗浄槽１３を用いる。色素持込量が大きいときは分析項目ＡＢについて洗浄槽４２を用い、分析項目Ｃについては洗浄槽１３を用いる。
【００７４】
分析項目／キャリーオーバ回避レベル／色素持込量の対応関係については、例えばユーザが指定することもできるし、あらかじめコントローラ２１の内部にその定義を記述したデータを格納しておいてこれを用いてもよい。
【００７５】
以上の説明においては、色素持込量が大きいときは試料用分注プローブ１１ａをより清浄に保つことを説明した。同様に、色素持込量に応じて試料用分注プローブ１１ａの交換時期を定めることもできる。例えば自動分析装置１００は、（ａ）色素持込量が小さいときは６か月間使用可能、（ｂ）色素持込量が中程度であるときは１か月以内に交換要、（ｃ）色素持込量が大きいときは即時交換、などと判定することが考えられる。
【００７６】
＜本発明の変形例について＞
本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。
【００７７】
以上の実施形態において、色素持込試験の結果により色素持込量が閾値を超えていることが分かった場合、コントローラ２１はその旨を出力して試料用分注プローブ１１ａのメンテナンスや交換を促してもよい。出力形式としては、コントローラ２１が備える記憶装置にその旨を表すデータを格納すること、画面表示、などが考えられる。さらに試験結果を自動分析装置１００からサーバコンピュータに対して送信し、そのサーバコンピュータがメンテナンスなどの要否を判断してもよい。
【００７８】
以上の実施形態において、試料用分注プローブ１１ａを備える自動分析装置１００が複数集合して１つの分析装置を形成する場合は、色素が持ち込まれた溶液の吸光度を、いずれかひとつの自動分析装置の分光光度計４によって測定することができる。
【００７９】
以上の実施形態においては、試料用分注プローブ１１ａの表面状態を評価することについて述べたが、その他の分注プローブ（例えば試薬用分注プローブ）についても本発明を適用することができる。
【符号の説明】
【００８０】
３：洗浄機構
４：分光光度計
５：攪拌機構
６：攪拌機構
７：試薬用分注機構
８：試薬用分注機構
９：試薬ディスク
１０：試薬ボトル
１１：試料用分注機構
１１ａ：試料用分注プローブ
１３：洗浄槽
１４：洗浄槽
１５：試料容器
１６：ラック
１７：試料搬送機構
１８：試薬用シリンジ
１９：試料用シリンジ
２０：洗浄用ポンプ
２１：コントローラ
３０：洗浄槽
３１：洗浄槽
３２：洗浄槽
３３：洗浄槽
３６：ポンプ
４０：圧力センサ
４１：恒温槽
４２：洗浄槽
４３：洗浄液タンク
４４：洗浄液用シリンジ
４５：洗浄加速機構
４６：洗浄液
１００：自動分析装置
８００：試験キット
８０１：ラック
８０２：容器設置部
８０３：容器設置部
８０４：開放部
８０５：容器
８０６：容器
８０７：凸部
８０８：シール
【図１】
2019002771.tif 000003
【図２】
2019002771.tif 000004
【図３】
2019002771.tif 000005
【図４】
2019002771.tif 000006
【図５】
2019002771.tif 000007
【図６】
2019002771.tif 000008
【図７】
2019002771.tif 000009
【図８】
2019002771.tif 000010
【図９】
2019002771.tif 000011
【図１０】
2019002771.tif 000012